(57)【要約】【課題】簡素な方法により太陽電池パネルを保護すると共に作業者の失念を排除することによって作業効率の向上を図った太陽電池パネルを提供する。【解決手段】スイッチ部３２がオンされると、電磁石５０に規制片５４が吸着保持される。規制片５４の一端５４ｂ下面にはＬ字状アーム５６が当接されており、Ｌ字状アーム５６の回動が規制される。Ｌ字状アーム５６の他端５６ａには係止片２８が当接されており、係止片２８の回動が規制される。これにより、係止片２８が取り付けられた太陽電池パネル１６の回動も規制され、太陽電池パネル１６が第２の回動位置（９０°）でロックされる。【選択図】図８
2008258500.tif 000002
【特許請求の範囲】
【請求項１】
鉄塔に取り付けられる電源装置であって、
太陽電池パネルと、
前記太陽電池パネルを第１の回動位置から第２の回動位置に回動できるように前記鉄塔に取り付けられる取り付け手段と、
前記第２の回動位置で前記太陽電池パネルをロックしてから自動的にそのロック状態を解除し、上記第１の回動位置に自動復帰させるロック手段と
を備えることを特徴とする電源装置。
【請求項２】
前記ロック手段は、
前記太陽電池パネルに取り付けられる係止片と、
前記係止片を係止する係止部と、
前記係止部を一時的にロックし、その後自動的にロックを解除するロック部と
を有することを特徴とする請求項１に記載の電源装置。
【請求項３】
前記ロック部は電磁石であって、前記電磁石の電源として前記太陽電池パネルからの電力が使用されること
を特徴とする請求項１に記載の電源装置。
【請求項４】
前記取り付け手段は、
前記電磁石に対するスイッチ部を有しており、前記第２の回動位置で前記スイッチ部をオンすることで、前記電磁石が付勢されること
を特徴とする請求項１に記載の電源装置。
【請求項５】
前記係止部は、
Ｌ字状アームと、電磁石によって回動状態が規制される規制片とで構成されること
を特徴とする請求項２に記載の電源装置。
【請求項６】
前記Ｌ字状アームの一片が前記係止片に当接し、他片が前記規制片に当接すること
を特徴とする請求項５に記載の電源装置。
【請求項７】
送電鉄塔に取り付けられる送電線監視装置本体と、
請求項１乃至６のいずれか一項に記載の前記電源装置と
を備えることを特徴とする送電線監視装置。
【発明の詳細な説明】
【技術分野】
【０００１】
本願発明は、電源装置および送電線監視装置に関する。詳細には、鉄塔に取り付けた太陽電池パネルを第２の回動位置でロック手段によってロックすることにより、太陽電池パネルを落下物や飛来物から保護する電源装置および送電線監視装置に関する。
【背景技術】
【０００２】
近年、落雷時の送電線に対する事故点監視をするための事故監視装置を鉄塔に設置するケースが増えている。事故監視装置は、落雷の電流方向を検出する検出装置と検出したデータを監視センターに送信する通信装置とから構成されており、検出装置によって得られた故障データを収集することにより、故障区間および故障点までの距離を標定している。この事故監視装置の電源としては太陽電池パネルが利用されており、事故監視装置が設置される鉄塔ごと（送電鉄塔１０〜２０基間隔）に太陽電池パネルが取り付けられている。
【０００３】
この太陽電池パネルは、太陽から射出される光エネルギーを確実かつ効率的に電気エネルギーに変換するために、セルの受光面が太陽に対向するように、すなわち上向きになるように、鉄塔に取り付けられている。
【０００４】
ところで、送電線の維持管理作業は、太陽電池パネルが設置される鉄塔の位置よりも上方での作業が大半である。そのため、作業者が使用する道具等の落下物による太陽電池パネルの破損を防止し、その保護を図るため、太陽電池パネルのセルの受光面をシート等によって保護することにより送電線の維持管理作業を実施している。
【０００５】
例えば、特許文献１には、カバー部材と、このカバー部材を太陽電池装置の受光面を覆うように繰り出すカバー部材繰出手段とを備えた太陽電池の受光面保護装置が記載されている。これにより、風等で屋根瓦が太陽電池パネルの受光面上に落下したとしても、太陽電池パネルの受光面をカバー部材で覆うことで、太陽電池の受光面の損傷を防止することができる。
【０００６】
【特許文献１】特開平８−３１６５０９号公報
【発明の開示】
【発明が解決しようとする課題】
【０００７】
しかしながら、上記特許文献１に記載される発明では、太陽電池パネルのセルの受光面をシート等によって覆って保護するため、セルの受光面を保護している間は発電が停止してしまう。そのため、送電線の維持管理作業の終了時には確実にシート等を太陽電池パネルから取り外し、作業前のセルの受光面を露出させた状態に復帰させておく必要がある。このように、作業者には、常に注意義務が課せられ、作業者の負担が増大してしまうという問題がある。
【０００８】
また、一般的に、シート等により太陽電池パネルの受光面を保護する方法では、シートを持参するのを忘れて鉄塔に上がってしまった場合には、鉄塔を降りてシートを取りに戻るか、または太陽電池パネルのセルの受光面をシートによって覆わずに作業を行わなければならず、作業に支障をきたすおそれもある。
【０００９】
そこで、本願発明は、上記課題に鑑みてなされたものであり、その目的は、簡素な方法により太陽電池パネルを保護すると共に作業者の失念を排除することによって作業効率の向上を図った電源装置および送電線監視装置を提供するものである。
【課題を解決するための手段】
【００１０】
本発明は、上記課題を解決するために、鉄塔に取り付けられる電源装置であって、太陽電池パネルと、前記太陽電池パネルを第１の回動位置から第２の回動位置に回動できるように前記鉄塔に取り付けられる取り付け手段と、前記第２の回動位置で前記太陽電池パネルをロックしてから自動的にそのロック状態を解除し、上記第１の回動位置に自動復帰させるロック手段とを備えるものである。
【００１１】
また、本発明の送電線監視装置は、送電鉄塔に取り付けられる送電線監視装置本体と、上述した前記電源装置とを備えるものである。
【００１２】
ロック手段は、例えば、前記太陽電池パネルに取り付けられる係止片と、前記係止片を係止する係止部と、前記係止部を一時的にロックし、その後自動的にロックを解除するロック部とから構成することができる。
【００１３】
本発明の電源装置および送電線監視装置では、太陽電池パネルがロック手段によって第２の回動位置でロックされる。第２の回動位置は、例えば、太陽電池パネルの太陽光を受光する受光面と、鉄塔の上方からの飛来物や落下物との接触面積が小さくなるような回動位置である。より具体的には、飛来物や落下物が略鉛直方向に落下する場合には、この鉛直方向に平行な角度、９０°である。これにより、飛来物や落下物は、太陽電池パネルの受光面に接触しないか、または最小の面積接触で太陽電池パネルを通過して落下することになる。
【００１４】
ロック手段のロック部は、電磁石であって、電磁石の電源として太陽電池パネルからの電力が使用される。
【００１５】
太陽電池パネルは、送電鉄塔に取り付けられた送電線監視装置、例えば電圧電流センサーや標定装置の駆動源として予め設置されているものである。従って、ロック手段の駆動源としては、太陽電池パネルを併用することが可能であり、ロック手段の駆動源を別途設置する必要はない。
【００１６】
また、夕方から夜になると太陽電池パネルでの発電がストップするため、太陽電池パネルに対するロックが自動的に解除される。その結果、太陽電池パネルが第２の回動位置のままであってもこの太陽電池パネルを第２の回動位置から第１の回動位置に自動的に復帰させることができる。
【発明の効果】
【００１７】
本発明によれば、ロック手段を設けることで、太陽電池パネルを第２の回動位置でロックすることができ、落下物等から簡素な方法により保護することができる。また、作業者自身がシートを持参する必要がないため、作業者の失念を回避することができ、作業効率の向上を図ることができる。さらに、太陽電池パネルに対するロックは自動的に解除されるので、第１の回動位置への回動操作をしないでも、第２の回動位置から第１の回動位置に自動的に復帰させることができる。
【発明を実施するための最良の形態】
【００１８】
以下、本発明の実施形態につき、図面を参照して説明する。なお、以下の説明に用いる各図面では、各部材を認識可能な大きさとするため、各部材の縮尺を適宜変更している。
【００１９】
［第１の実施の形態］
（事故監視システムの構成）
図１は、事故監視システム１００の構成を示す図である。
事故監視システム１００は、鉄塔１２に取り付けられた送電線の事故監視するための事故監視装置（送電線監視装置）９０と、事故監視装置９０によって収集されたデータに基づいて標定が行われる電力センター８とから構成される。
【００２０】
事故監視装置９０は、電圧電流センサー１４と標定装置１８と電源装置１０とから構成することができる。図１に示すように、鉄塔１２の上部には、落雷時のようなとき電流値および電圧値を検出する電圧電流センサー１４が取り付けられる。鉄塔１２の電圧電流センサー１４が取り付けられた位置よりも下方には、この例では電圧電流センサー１４により検出されたデータを取得する標定装置１８が取り付けられ、さらにその下方には標定装置１８および電圧電流センサー１４に電力を供給する電源装置１０が取り付けられる。標定装置１８は、通信機能を備えており、取得したデータを電力センター８に送信する。電力センター８では、送信されたデータを収集し、故障区間および故障点までを標定する。
【００２１】
（電源装置の構成）
次に、上述した鉄塔１２に取り付けられる電源装置１０について説明する。図２は電源装置１０の構成の一例を示す斜視図である。図３は電源装置１０の構成を示す断面図である。図４はケース３４の内部構成を示す図である。太陽電池パネル１６とロック手段６０を収容するケース３４とは所定の距離だけ隔てて配置される。
【００２２】
図２に示すように、電源装置１０は、太陽から射出された光エネルギーを電気エネルギーに変換する太陽電池パネル１６と、太陽電池パネル１６を鉄塔１２に取り付けるための取り付け部２４と、太陽電池パネル１６を所定の回動位置でロックするロック手段６０とから構成される。
【００２３】
太陽電池パネル１６は、複数のセルがマトリクス状に配列されてなる太陽電池モジュール２０と、太陽電池モジュール２０の外周に取り付けられた支持フレーム２１とから構成される。太陽電池モジュール２０の太陽光に対向する面側には平坦な受光面２０ａが設けられる。
【００２４】
太陽電池パネル１６を回動自在に支持するための取り付け部２４は、取り付け部材を有し、この取り付け部材としてこの例では矩形状の鉄板からなる。取り付け部２４の一端側にはばねが内蔵された弾性ヒンジ部２２が設けられ、太陽電池パネル１６の支持フレーム２１の下端側がこの弾性ヒンジ部２２に回動自在に取り付けられる。太陽電池パネル１６は、弾性ヒンジ部２２の弾性力により、図３に示すように、水平面に対して所定角度θの回動位置（第１の回動位置）で静止した状態で支持される共に、弾性ヒンジ部２２を支点として反時計方向に弾性付勢されている。所定角度θは、太陽電池モジュール２０の発電効率が最大となるような角度である。図２および図３では、第１の回転位置として角度θが３０°である場合を示す。また、太陽電池パネル１６に風等の外圧が付与されると、太陽電池パネル１６が弾性ヒンジ部２２を中心にして揺動する場合がある。そのため、揺動しないようなばね力で付勢すると共に、図３に示すように、太陽電池パネル１６と取り付け部２４との間に上述した角度θの傾斜角を有するストッパ４４を嵌め込んで、太陽電池パネル１６を角度θの回動位置で固定させている。
【００２５】
取り付け部２４の下面の弾性ヒンジ部２２の近傍には、図３に示すように、後述する電磁石５０への電力の供給を制御するスイッチ部３２が取り付けられる。スイッチ部３２はプッシュスイッチなどが使用される。
【００２６】
本例では、上述した取り付け部２４はその下面の両端辺に沿って延びるアーム７０に取り付けられており、そのアーム７０はアーム７０の長手方向に直交するアーム７１に取り付けられており、これらのアーム７０，７１を介して取り付け部２４が鉄塔１２の第１の回動位置（３０°）に取り付け固定される（図１参照）。
【００２７】
（ロック手段の構成）
太陽電池パネル１６を所定の回動位置（第２の回動位置）でロックするロック手段６０は、図２および図３に示すように、係止片２８と、係止片２８を係止する係止部６４と、係止部６４を第２の回動位置で一時的にロックし、その後ロックを解除する電磁石５０とから構成される。
【００２８】
係止片２８は、図３に示すように、矩形状の平板であって、太陽電池パネル１６の受光面２０ａとは反対側であって、この例では図２に示すように、右下端部に取り付けられる。係止片２８の下端は、係止部６４を構成するＬ字状アーム５６に当接するような長さとなされている。
【００２９】
係止片２８の内面２８ｃには、図３に示すように、内面２８ｃに対して略直交方向に延びる矩形状の板状をなすスイッチ押圧部３０が取り付けられる。係止片２８とスイッチ押圧部３０とは別体構成であるが、一体形成しても良い。スイッチ押圧部３０は、太陽電池パネル１６に取り付けられる係止片２８の回動と共に回動され、太陽電池パネル１６が略９０°の位置（第２の回動位置）に回転したときに、スイッチ部３２が押圧されるようになっている（図８参照）。
【００３０】
取り付け部２４の下方には、上述した係止部６４と電磁石５０とを収容する直方体状をなすケース３４が配設されている。ケース３４の上部には、係止片２８等を内部に挿入させるための挿入口３６が形成される。また、本例では、ケース３４の後端（上面を除いた外周）が、コの字状をなす収容保持ケース７２に取り付けられており、この収容保持ケース７２がアーム７４を介して鉄塔１２（図１参照）に取り付け固定される。
【００３１】
（ケースの内部構成）
続けて、ケース３４内部に収容された係止部６４および電磁石５０の構成について説明する。
【００３２】
図３および図４に示すように、電磁石５０は、ロック部の一例を構成し、ケース３４内部底面の略中央部に設けられる。この電磁石５０は、磁性材料からなる円柱状をなす鉄心（ロッド）と、この鉄心の外周に巻回されたコイルとから構成され、コイルの上縁から鉄心の上端面が突出しており、吸着面が確保されている。
【００３３】
係止片２８を係止する係止部６４は、規制片５４とＬ字状アーム５６とから構成される。規制片５４は、導電材料からなる平帯状（鉄板）であり、その右端部５４ａがケース３４内部側面に取り付けられた支軸４０に挿通されており、この支軸４０によって回動自在に支持される。また、規制片５４は、規制片５４の自重または軽い弾性力を付与することで、電磁石５０の上面に当接している。
【００３４】
Ｌ字状アーム５６は、その屈曲部にケース３４内部側面に取り付けられた支軸４６が挿通されて回動自在に軸支される。さらに、支軸４６には、Ｌ字状アーム５６に隣接してねじりばね３８が外装される。ねじりばね３８の一端３８ａは、図４に示すように、ケース３４の側面に取り付けられ、他端３８ｂはＬ字状アーム５６の水平片の側面に取り付けられる。これにより、Ｌ字状アーム５６は、図３に示すように、ねじりばね３８および支軸４６によって、Ｌ字状アーム５６の右端部５６ｂが規制片５４の左端部５４ｂの下面５４ｃに当接した状態で静止するように支持されると共に、支軸４６の反時計方向（図３中矢印方向Ｄ１）に弾性付勢される。
【００３５】
（事故監視装置の回路構成）
次に、鉄塔１２に設けられた電源装置１０の回路構成の一例を図５に示す。
図５に示すように、太陽電池パネル１６にはこの太陽電池パネル１６で発電された電力によって駆動される負荷（電圧電流センサー１４，標定装置１８）と電磁石５０が接続される。太陽電池パネル１６と電磁石５０との間には、電磁石５０への電力の供給を制御するスイッチ部３２が設けられる。このスイッチ部３２のオン／オフにより電磁石５０の駆動が制御され、スイッチ部３２がオンになると電磁石５０のコイルに電流が流れ、電磁石５０に磁力が発生するようになっている。また、電源装置１０と負荷１４，１８との間には、太陽電池パネル１６から発電された電力を充電するための電池５２（バッテリー）が設けられる。電池５２の一端側には、電池５２に充電した電力の太陽電池パネル１６側への逆流を防止するための逆流防止ダイオード６２が接続される。従って、電磁石５０はこの逆流防止ダイオード６２と太陽電池パネル１６との間に接続され、電池５２によっては付勢されないようになっている。
【００３６】
（ロック動作、ロック解除動作）
次に、太陽電池パネル１６の受光面２０ａを所定角度でロックする動作、およびロックを解除する動作について説明する。図６〜図９は、太陽電池パネル１６の動作を示す図である。
【００３７】
I．通常状態
送電線の維持管理作業が行われない通常の状態（初期状態）では、図６に示すように、太陽電池パネル１６の発電効率が最大となるように、太陽電池パネル１６は例えば真南側の角度３０°（第１の回動位置）となるように鉄塔１２（図１参照）に回動位置が規制される。
【００３８】
II．作業前の操作
送電線の維持管理作業を行うときには、図８に示すように、作業前に、太陽電池パネル１６を回転させて水平面に対して例えば９０°に設置する。送電線の維持管理作業は、鉄塔１２に設置した電源装置１０よりも上方で行われることが多く、作業時に用いられる作業道具や飛来物の落下は、略鉛直方向に落下する。そのため、太陽電池パネル１６の受光面２０ａを落下物等の落下する鉛直方向に対して平行方向（９０°）に設置することで、落下物等との接触面積を最小とし、太陽電池パネル１６の受光面２０ａを保護することが可能となる。なお、落下物等との接触面積を小さくすることができるような角度θであれば、９０°に限定されることはない。また、太陽電池パネル１６の受光面２０ａを起立させる動作は、作業者自身が行っても良いし、回動手段等を太陽電池パネル１６にさらに取り付けてこれにより自動的に行っても良い。
【００３９】
図７に示すように、この太陽電池パネル１６を９０°の位置に回動させる動作に連動して、太陽電池パネル１６に取り付けられた係止片２８およびスイッチ押圧部３０は反時計方向に回転する。この回動動作によって、係止片２８の下端２８ａがＬ字状アーム５６の上端部５６ａの外側に当接するので、Ｌ字状アーム５６は、時計方向に押される。これにより、係止片２８はＬ字状アーム５６の支軸４６を中心として時計方向（図７中矢印方向Ｄ３）に回転して上端部５６ａを乗り越える。そして、図８に示すように、太陽電池パネル１６が９０°の位置まで回転すると、係止片２８の下端２８ａがＬ字状アーム５６の回転する軌跡から外れるが、Ｌ字状アーム５６にはねじりばね３８の付勢力（反時計方向）が加わっているため、Ｌ字状アーム５６はもとの状態に戻る（図６参照）。
【００４０】
一方、太陽電池パネル１６が９０°の位置まで回動すると、係止片２８に取り付けられたスイッチ押圧部３０はスイッチ部３２を押圧する。スイッチ部３２が押圧されると、スイッチオン状態となり、電磁石５０の鉄心に電流が供給されて磁力が発生し、規制片５４が電磁石５０に吸着保持される。上述したように、Ｌ字状アーム５６の右端部５６ｂは規制片５４の左端部５４ｂの下面５４ｃに当接しているため、電磁石５０に吸着された規制片５４によってＬ字状アーム５６は反時計方向の回転が禁止されてロックされる。Ｌ字状アーム５６の回動がロックされているので太陽電池パネル１６の回転も規制され、太陽電池パネル１６が９０°の位置でロックされる。
【００４１】
なお、太陽電池パネル１６を９０°の位置でロックさせた場合でも、太陽光は遮蔽されていないため、発電量は低下するものの、ロックした状態を維持することができる。また、太陽電池パネル１６の発電と電池５２により、作業中でも事故監視装置９０（図１参照）は正常に稼動している。
【００４２】
III．復帰時
図９に示すように、作業が終了して日が暮れはじめると、太陽電池パネル１６の発電する電力量が減衰し始め、電磁石５０に流れる電流量も低下し、これに伴って電磁石５０により発生する磁力も減衰する。これにより、電磁石５０の規制片５４に対する吸着力が低下する。ここで、太陽電池パネル１６の付勢力（時計方向）＞Ｌ字状アーム５６の付勢力（反時計方向）＞規制片５４の自重または付勢力（反時計方向）の関係が成立している。そのため、太陽電池パネル１６の係止片２８の時計方向（図９中矢印方向Ｄ５）の付勢力が、電磁石５０の規制片５４を吸着する吸着力およびＬ字状アーム５６の付勢力よりも大きくなることで、太陽電池パネル１６に対するＬ字状アーム５６のロックが解除される。規制片５４は支軸４０を中心として時計方向に傾動した後、その自重により図６に示す通常状態に戻る。このようにして、太陽電池パネル１６は、太陽電池モジュール２０の発電の減衰および低下によって、通常状態の第１の回動位置（図６参照）に自動復帰する。
【００４３】
本実施の形態によれば、太陽電池パネル１６は、太陽電池パネル１６の受光面２０ａと飛来物および落下物との接触面積が小さくなるような角度、例えば９０°で、ロック手段６０によってロックされる。これにより、落下物や飛来物は、太陽電池パネル１６の受光面２０ａに接触しないか、または最小の面積接触で太陽電池パネル１６を通過して落下することになる。従って、落下物等から簡素な方法により太陽電池パネル１６を保護することができ、太陽電池パネル１６の損傷や破壊を回避できる。
【００４４】
また、ロック手段６０を電源装置１０に設けることで、作業者自身が太陽電池パネル１６の受光面２０ａを保護するシート等を持参する必要がないため、作業者の失念を回避することができ、作業効率の向上を図ることができる。
【００４５】
また、太陽電池パネル１６に対するロックは、太陽電池モジュール２０の発電の減少および停止により自動的に解除されるので、作業終了後に第２の回動位置（９０°）から自動的に第１の回動位置に復帰させることができる。これにより、作業者の負担がさらに軽減される。
【００４６】
さらに、ロック手段６０を駆動する太陽電池パネル１６は、落雷時の送電線に対する事故監視をするための事故監視装置９０、例えば電圧電流センサー１４や標定装置１８の駆動源として予め設置されていたものであるため、ロック手段６０の駆動源を別途設置する必要はなく、低コストで太陽電池パネル１６の保護の実現を図ることができる。
【００４７】
［第２の実施の形態］
次に、本実施形態について図面を参照して説明する。
本実施の形態では、太陽電池パネル１６の係止片２８を電磁石５０に直接吸着保持させてロックする点において上記第１の実施の形態とは異なる。なお、その他の電源装置１０の構成は、上記第１実施の形態と同一であるため、共通の構成要素には同一の符号を付し、詳細な説明は省略する。
【００４８】
（電源装置の構成）
図１０は電源装置１０の構成の一例を示す斜視図である。図１１はロック手段６０の構成を示す断面図である。
図１０および図１１に示すように、ロック手段６０は、上述した太陽電池パネル１６に取り付けられた係止片２８と、ロック部の一例を構成する電磁石５０とから構成される。電磁石５０は、ケース３４の内部に収容されている。電磁石５０は、図１１に示すように、ケース３４内部の底面の略中央に配設され、電磁石５０のコイルの左端から突出する鉄心の先端面が、太陽電池パネル１６が９０°の位置に回転したときに、回転した係止片２８と当接するようになっている。
【００４９】
（ロック動作、ロック解除動作）
次に、太陽電池パネル１６の受光面２０ａを所定角度でロックする動作、およびロックを解除する動作について説明する。図１２〜図１５は、太陽電池パネル１６の動作を示す図である。
【００５０】
I．通常状態
送電線の維持管理作業が行われない通常の状態では、図１２に示すように、太陽電池パネル１６の発電効率が最大となるように、太陽電池パネル１６は例えば真南側の角度３０°（第１の回動位置）となるように鉄塔１２（図１参照）に回動位置が規制される。
【００５１】
II．作業前の操作
送電線の維持管理作業を行うときには、図１３および図１４に示すように、作業前に、太陽電池パネル１６を９０°（第２の回動位置）まで回動させて、起立させる。
そして、図１４に示すように、太陽電池パネル１６が９０°の位置まで回動すると、これに連動して係止片２８に取り付けられたスイッチ押圧部３０がスイッチ部３２を押圧する。スイッチ部３２が押圧されると、スイッチオン状態となり、電磁石５０の鉄心に電流が供給されて磁力が発生し、係止片２８が電磁石５０に吸着保持される。係止片２８は電磁石５０によってロックされているので、太陽電池パネル１６は約９０°（第２の回動位置）の位置でロックされる。
【００５２】
III．復帰時
図１５に示すように、作業が終了して日が暮れはじめると、太陽電池パネル１６の発電する電力量が減衰し始め、電磁石５０に流れる電流量も低下し、これに伴って電磁石５０により発生する磁力も減衰する。これにより、電磁石５０の係止片２８に対する吸着力が低下する。太陽電池パネル１６の係止片２８の時計方向（図１５中矢印方向Ｄ７）の付勢力が、電磁石５０の係止片２８を吸着する吸着力よりも大きくなることで、太陽電池パネル１６に対する電磁石５０ロックが解除される。このようにして、太陽電池パネル１６は、太陽電池パネル１６の発電の減衰および低下によって、通常状態の第１の回動位置（図１２参照）に自動復帰する。
【００５３】
本実施の形態によれば、ロック手段６０の構成を第１の実施の形態で説明したロック手段６０の構成よりも簡素にすることができる。これにより、部品点数を減らすと共に、製造工程が簡略化され、より低コスト化を図ることができる。
【００５４】
なお、本発明の技術範囲は、上述した実施形態に限定されるものではなく、本発明の趣旨を逸脱しない範囲において、上述した実施形態に種々の変更を加えたものを含む。
【産業上の利用可能性】
【００５５】
本発明は、鉄塔に取り付けられた太陽電池パネルの受光面を落下物等から保護する場合に好適に適用できる。
【図面の簡単な説明】
【００５６】
【図１】事故監視装置システムの構成を示す図である。
【図２】本発明の一実施形態に係る電源装置の構成を示す斜視図である。
【図３】電源装置の構成を示す断面図である。
【図４】ロック手段の構成を示す横断面図である。
【図５】事故監視装置の回路構成を示す図である。
【図６】太陽電池パネルをロックさせる動作を示す図である（その１）。
【図７】太陽電池パネルをロックさせる動作を示す図である（その２）。
【図８】太陽電池パネルをロックさせる動作を示す図である（その３）。
【図９】太陽電池パネルのロックを解除させる動作を示す図である。
【図１０】本発明の他の実施形態に係る電源装置の構成を示す断面図である。
【図１１】ロック手段の構成を示す横断面図である。
【図１２】太陽電池パネルをロックさせる動作を示す図である（その１）。
【図１３】太陽電池パネルをロックさせる動作を示す図である（その２）。
【図１４】太陽電池パネルをロックさせる動作を示す図である（その３）。
【図１５】太陽電池パネルのロックを解除させる動作を示す図である。
【符号の説明】
【００５７】
８…電力センター、  １０…電源装置、  １２…鉄塔、  １４…電圧電流センサー、  １６…太陽電池パネル、  １８…標定装置、  ２０…太陽電池モジュール、  ２０ａ…受光面、  ２１…支持フレーム、  ２２…弾性ヒンジ部、  ２４…取り付け部（取り付け手段）、  ２８…係止片（ロック手段）、  ３０…スイッチ押圧部、  ３２…スイッチ部、  ３４…ケース、  ３６…挿入口、  ３８…ねじりばね、  ４０…支軸、  ４４…ストッパ
４６…支軸、  ５０…電磁石（ロック部）、  ５２…電池、  ５４…規制片（係止部）、  ５６…Ｌ字状アーム（係止部）、  ６０…ロック手段、  ６２…逆流防止ダイオード、  ６４…係止部、  ７０…アーム、  ７２…収容保持ケース、  ７４…アーム、  ９０…事故監視装置、  １００…事故監視システム
【図１】
2008258500.tif 000003
【図２】
2008258500.tif 000004
【図３】
2008258500.tif 000005
【図４】
2008258500.tif 000006
【図５】
2008258500.tif 000007
【図６】
2008258500.tif 000008
【図７】
2008258500.tif 000009
【図８】
2008258500.tif 000010
【図９】
2008258500.tif 000011
【図１０】
2008258500.tif 000012
【図１１】
2008258500.tif 000013
【図１２】
2008258500.tif 000014
【図１３】
2008258500.tif 000015
【図１４】
2008258500.tif 000016
【図１５】
2008258500.tif 000017